(57)【要約】      （修正有）【課題】光による演出効果を向上することが可能な照明器具を提供する。【解決手段】照明器具１は、凝灰岩により形成された台座１０と、台座１０の所定面に取り付けられたランプソケットと、ランプソケットに取り付けられるランプを覆うシェード４０と、を備える。ここで、凝灰岩は、その表面及び内部に多数の微細孔が形成された多孔質構造を有している。これにより、照明器具１では、互いに異なる輝度となる透過光（シェード４０を透過した透過光）及び間接光（台座１０で乱反射された間接光）が放射されることによって、放射される光に濃淡を付与することができ、光による演出効果を向上することが可能となる。【選択図】図１
0003178347.tif 000002
【実用新案登録請求の範囲】
【請求項１】
凝灰岩により形成された台座と、
前記台座の所定面に取り付けられたランプソケットと、
前記ランプソケットに取り付けられるランプを覆うシェードと、を備えることを特徴とする照明器具。
【請求項２】
前記所定面には、凹部が設けられ、
前記ランプソケットは、前記凹部内に取り付けられていることを特徴とする請求項１に記載の照明器具。
【請求項３】
前記所定面は、凹凸面となっていることを特徴とする請求項１又は２に記載の照明器具。
【請求項４】
前記ランプソケットは、受金が配設された受金部と、該受金部の基端側に配設されたシェード取付け部と、を有し、
前記シェードは、筒状に形成されて前記シェード取付け部の外周面に嵌合される筒状部を有することを特徴とする請求項１乃至３のうちいずれか一項に記載の照明器具。
【請求項５】
前記凝灰岩は、大谷石であることを特徴とする請求項１乃至４のうちいずれか一項に記載の照明器具。
【請求項６】
前記シェードは、和紙により形成されていることを特徴とする請求項１乃至５のうちいずれか一項に記載の照明器具。
【考案の詳細な説明】
【技術分野】
【０００１】
本考案は、室内用の照明器具に関し、特に、光による演出効果を向上することが可能な照明器具に関する。
【背景技術】
【０００２】
従来、室内用の照明器具として、例えば、特許文献１に記載されたものが知られている。
特許文献１に記載された照明器具は、枠部材と、枠部材に取り付けられたランプソケットと、ランプソケットに装着されたランプと、ランプソケット及びランプの周囲を覆う笠部材（シェード）と、を備えている。
そして、特許文献１に記載された照明器具では、笠部材が簾状藺草成形体により形成されていることによって、木漏れ日のような光を放射することが可能となっている。
【先行技術文献】
【特許文献】
【０００３】
【特許文献１】特開２００９−２５４６７１号公報
【考案の概要】
【考案が解決しようとする課題】
【０００４】
しかしながら、特許文献１に記載された照明器具では、光による演出効果が乏しくなる恐れがある。
すなわち、特許文献１に記載された照明器具では、放射される光が、笠部材を透過した透過光のみとなっており、光による演出効果が乏しくなる恐れがある。
本考案の課題は、光による演出効果を向上することが可能な照明器具を提供することにある。
【課題を解決するための手段】
【０００５】
上記課題を解決するために、第一の考案に係る照明器具は、凝灰岩により形成された台座と、前記台座の所定面に取り付けられたランプソケットと、前記ランプソケットに取り付けられるランプを覆うシェードと、を備えることを特徴とする。
第一の考案に係る照明器具では、ランプソケットが取り付けられる台座が凝灰岩により形成されている。ここで、凝灰岩は、その表面及び内部に多数の微細孔が形成された多孔質構造を有している。
これにより、第一の考案に係る照明器具では、ランプから照射された光は、シェードを透過した後に、外方に向かって放射される。また、シェードから放射された光の一部は、多孔質構造を有する台座の所定面で乱反射されて、拡散光となって外方に向かって放射される。
したがって、第一の考案に係る照明器具では、互いに異なる輝度となる透過光（シェードを透過した透過光）及び間接光（台座で乱反射された間接光）が放射されることによって、放射される光に濃淡を付与することができる。
よって、第一の考案に係る照明器具によれば、光による演出効果を向上することが可能となる。
【０００６】
第二の考案に係る照明器具は、第一の考案に係る照明器具において、前記所定面には、凹部が設けられ、前記ランプソケットは、前記凹部内に取り付けられていることを特徴とする。
第二の考案に係る照明器具では、多孔質構造を有する台座の所定面で乱反射される光の量を増加させることができ、光による演出効果をさらに向上することが可能となる。
【０００７】
第三の考案に係る照明器具では、第一又は第二の考案に係る照明器具において、前記所定面は、凹凸面となっていることを特徴とする。
第三の考案に係る照明器具では、台座で乱反射される間接光において輝度に濃淡を付与することができ、台座で乱反射される間接光が柔らかい光となり、光による演出効果をさらに向上することが可能となる。
ここで、凹凸面とは、規則的な凹凸が付与された面であっても、不規則的な凹凸が付与された面であってもどちらでも構わない。規則的な凹凸が付与された面としては、例えば、リブ仕上げ加工、ビシャン仕上げ加工、格子仕上げ加工、チェーン仕上げ加工等が施された面が該当する。また、不規則的な凹凸が施された面としては、例えば、コボリ仕上げ加工、割り肌仕上げ加工等が施された面が該当する。
【０００８】
第四の考案に係る照明器具は、第一乃至第三のうちいずれか一の考案に係る照明器具において、前記ランプソケットは、受金が配設された受金部と、該受金部の基端側に配設されたシェード取付け部と、を有し、前記シェードは、筒状に形成されて前記シェード取付け部の外周面に嵌合される筒状部を有することを特徴とする。
第四の考案に係る照明器具では、ランプソケットに対するシェードの着脱を容易に行うことが可能となる。
【０００９】
第五の考案に係る照明器具は、第一乃至第四のうちいずれか一の考案に係る照明器具において、前記凝灰岩は、大谷石であることを特徴とする。
第五の考案に係る照明器具では、ランプソケットが取り付けられる台座が大谷石により形成されている。ここで、大谷石は、凝灰岩の中でも表面及び内部に存在する微細孔の割合が特に大きくなっている。
したがって、第五の考案に係る照明器具によれば、透過光（シェードを透過した透過光）の輝度と間接光（台座で乱反射された間接光）の輝度の差を大きくすることができ、光による演出効果をさらに向上することが可能となる。
また、大谷石は、多量のマイナスイオンを放出する天然ゼオライトを含んでいる。これにより、第五の考案に係る照明器具によれば、多量のマイナスイオンが放出されることで、周囲の人間にアルファ波を発生させることができ、周囲の人間をリラックスさせることが可能となる。
さらに、天然ゼオライトは、多孔質構造を持ち、アンモニア等の悪臭の基となるガスを微細孔内に吸着することによる脱臭作用を有している。また、天然ゼオライトは、イオン交換することで悪臭の基となるガスを他の物質に変化させることによる脱臭作用を有している。したがって、第五の考案に係る照明器具によれば、脱臭効果を奏することが可能となる。
【００１０】
第六の考案に係る照明器具は、第一乃至第五のうちいずれか一の考案に係る照明器具において、前記シェードは、和紙により形成されていることを特徴とする。
第六の考案に係る照明器具では、柔らかい透過光（シェードを透過した透過光）を得ることが可能となる。
【考案の効果】
【００１１】
本考案に係る照明器具によれば、互いに異なる輝度となる透過光（シェードを透過した透過光）及び間接光（台座で乱反射された間接光）が放射されることによって、放射される光に濃淡を付与することができ、光による演出効果を向上することが可能となる。
【図面の簡単な説明】
【００１２】
【図１】本考案の実施形態に係る照明器具の斜視図である。
【図２】図１に示す照明器具であって、シェードを取り外した状態を示す斜視図である。
【図３】図１に示す照明器具が備える台座の斜視図である。
【図４】図３に示すＡ−Ａ線に沿う断面図である。
【図５】図１に示す照明器具が備えるランプソケットの斜視図である。
【図６】図１に示す照明器具が備えるシェードの斜視図である。
【図７】変形例に係る台座の斜視図である。
【図８】変形例に係る取付け部材の断面図である。
【図９】変形例に係るシェードの斜視図である。
【考案を実施するための形態】
【００１３】
以下、本考案の実施形態に係る照明器具１について、図面を参照しながら説明する。
照明器具１は、主に、室内に設置されて、予め設置されている電源コンセントから電力を得て使用される。
【００１４】
（照明器具１の構成）
図１は、本考案の実施形態に係る照明器具の斜視図である。図２は、図１に示す照明器具であって、シェードを取り外した状態を示す斜視図である。図３は、図１に示す照明器具が備える台座の斜視図である。図４は、図３に示すＡ−Ａ線に沿う断面図である。図５は、図１に示す照明器具が備えるランプソケットの斜視図である。図６は、図１に示す照明器具が備えるシェードの斜視図である。
図１及び図２に示す照明器具１は、台座１０と、台座１０に取り付けられたランプソケット２０と、ランプソケット２０に取り付けられたランプ３０と、ランプ３０の周囲を覆うシェード４０と、を備えている。
【００１５】
台座１０は、大谷石、田下石等の凝灰岩によって形成されている。特に、台座１０は、軽石凝灰岩によって形成されることが好ましく、本実施形態では大谷石によって形成されている。
大谷石は、珪酸、第二酸化鉄、酸化アルミニウム、酸化マンガン、石灰、酸化マグネシウム、カリウム、ナトリウム等を成分とする軽石凝灰岩であり、栃木県宇都宮市北西部の大谷町付近一帯で採掘される石材である。大谷石は、多孔質で火熱に強く、１０００℃以上でも安定し、他の石材に比べて軟らかく、採掘や加工がしやすい性質を有している。また、大谷石は、多量のゼオライトを含んでおり、このゼオライトは、多量のマイナスイオンを放出し、癒し効果を発揮するとともに、その多孔質構造により、脱臭効果及びガスを吸着する作用を有している。
図２及び図３に示すように、台座１０は、略直方体状に形成され、その一部（角部）が斜めに切断された形状を有している。そして、台座１０では、斜めに切断された切断面が、ランプソケット２０が設置される設置面（所定面）１１となっている。
【００１６】
図３及び図４に示すように、設置面１１には、凹部１２が設けられている。凹部１２は、シェード４０の下部を挿入することが可能となるように形成されている。具体的には、凹部１２は、曲面状に形成された周壁面１２ａと、平面状に形成された底面１２ｂと、を有している。周壁面１２ａは、シェード４０のうち凹部１２内に挿入された一部分の外周面に沿うように形成されている。底面１２ｂは、略円形状に形成され、ランプソケット２０を設置することが可能な広さを有している。
特に、凹部１２の深さは、シェード４０の後述する筒状部４２の高さと比較して大きく形成されている。これによって、シェード４０がランプソケット２０に取り付けられた際に、筒状部４２を外側から視認することができないように隠すことができ、照明器具１の見栄えを向上することができる。なお、本実施形態では、凹部１２は、その外径が約６ｃｍ、その深さが約１．５ｃｍに形成されている。
【００１７】
また、台座１０には、後述する電源コード２３が挿通される挿通孔１３及び挿通溝１４が設けられている。図３及び図４に示すように、挿通孔１３は、凹部１２の底面１２ｂから台座１０の底面まで、上下方向（図４に示す上下方向）に沿って延びている。また、挿通溝１４は、台座１０の底面に設けられ、挿通孔１３の下端から台座１０の背面まで、前後方向（図４に示す奥行き方向）に沿って延びている。挿通孔１３の下端は、挿通溝１４の前端に連通している。ここで、挿通孔１３及び挿通溝１４の大きさは、電源コード２３を挿通することが可能となる最小の大きさとすることが好ましい。
設置面１１は、凹凸面となっている。ここで、凹凸面は、規則的な凹凸が付与された面であっても、不規則的な凹凸が付与された面であってもどちらでも構わない。規則的な凹凸が付与された面としては、例えば、リブ仕上げ加工、ビシャン仕上げ加工、格子仕上げ加工、チェーン仕上げ加工等が施された面が該当する。また、不規則的な凹凸が施された面としては、例えば、コボリ仕上げ加工、割り肌仕上げ加工等が施された面が該当する。
【００１８】
本実施形態では、台座１０の外周面のうち設置面１１（凹部１２の周壁面１２ａを含む）は、天然石の割り面を模した不規則な凹凸からなる割肌面となっている。また、台座１０の外周面のうち設置面１１を除く面は、ダイヤ仕上げ加工が施された略平坦な面となっている。なお、図１乃至４では、設置面１１は、凹凸の形状の表示が省略されており、平面状に表されている。
さらに、図４に示すように、台座１０の底面には、緩衝材１５が配設されている。緩衝材１５は、ゴム、樹脂、フェルト、コルク等の弾性材料によって形成されている。本実施形態では、台座１０の底面の四隅のそれぞれにおいて、フェルトからなる緩衝材１５が配設されている。
【００１９】
図５に示すように、ランプソケット２０は、受金（図示せず）が配設された受金部２１と、受金部２１の基端側（根本側）に配設されたシェード取付け部２２と、受金に接続された電源コード２３と、を有している。
受金部２１は、円筒状に形成され、その内側に受金が配設されている。シェード取付け部２２は、天面を有する円筒状に形成され、その内側に受金に接続された端子部（図示せず）が配設されている。ここで、シェード取付け部２２の外径は、受金部２１の外径及びランプ３０の外径のそれぞれと比較して大きく形成されている。電源コード２３は、端子部を介して受金に接続され、その先端部には電源コンセントに接続される電源プラグ（図示せず）が配設されている。
【００２０】
ランプソケット２０は、台座１０の設置面１１における凹部１２内に取り付けられている。具体的には、ランプソケット２０は、凹部１２の底面１２ａにおいて、ネジ止め又は接着により固定されている。ここで、大谷石は軟らかいため、ネジ止めのみでは、台座１０へのランプソケット２０の固定が不十分となる恐れがある。そこで、台座１０へのランプソケット２０の取付けは、ネジ止め及び接着の両方によることが好ましい。この際、ネジ止めは、大谷石におけるミソのない部分に対して行うことが好ましい。本実施形態では、台座１０に対するランプソケット２０のネジ止めは、約３ｃｍのネジを用いて、２か所を固定することにより行っている。そして、ランプソケット２０の電源コード２３は、シェード取付け部２２の内部から、挿通孔１３及び挿通溝１４を介して、台座１０の背面まで達した後に、その先端部が台座１０の背面から導出するように延びている。
ランプ３０としては、白熱電球、蛍光電球、ＬＥＤ電球が用いられる。ランプ３０は、その口金がランプソケット２０の受金に螺合されることによって、ランプソケット２０に装着される。
【００２１】
図６に示すように、シェード４０は、ランプ３０の周囲を覆う被覆部４１と、被覆部４１の下端部に設けられた筒状部４２と、を有している。
被覆部４１は、紙、布、樹脂等によって、ランプ３０の周囲を覆うことが可能な形状に形成されている。本実施形態では、被覆部４１は、和紙によって、略球形状（内部が中空の球形状）に形成されている。具体的には、シェード４０は、ゴム製の型を用意して、型に沿うように和紙を漉くことによって形成されている。
筒状部４２は、紙、樹脂等によって、シェード取付け部２２の外周面に嵌合することが可能となるように筒状（本実施形態では、円筒状）に形成されている。筒状部４２の内孔は、被覆部４１の内部に連通している。筒状部４２の内径は、受金部２１の外径及びランプ３０の外径のそれぞれと比較して大きく形成され、また、シェード取付け部２２の外径と略同一に（または、僅かに大きく）形成されている。
シェード４０は、筒状部４２がシェード取付け部２２の外周面に嵌合することによって、ランプソケット２０に対して着脱自在に取り付けられる。本実施形態では、ランプソケット２０へのシェード４０の取付けは、筒状部４２がシェード取付け部２２に嵌合することのみにより行われ、ネジ止め、接着等は行っていない。
【００２２】
（照明器具１の作用・効果）
次に、照明器具１の作用・効果について説明する。
照明器具１は、電源コード２３の先端に配設されている電源プラグを電源コンセントに接続することによって使用される。
電源プラグが電源コンセントに接続されると、ランプ３０が点灯して、ランプ３０から光が照射される。
そして、ランプ３０から照射された光は、和紙により形成されたシェード４０を透過した後に、透過光として外方に向かって放射される。この際、シェード４０を透過した透過光の輝度は、ランプ３０から照射された光の輝度と比較して低くなる。特に、照明器具１では、シェード４０が和紙により形成されていることによって、シェード４０を透過した透過光において輝度の濃淡が付与され、シェード４０から放射される透過光が柔らかい光となる。
【００２３】
また、シェード４０を透過した透過光の一部は、台座１０の設置面１１において反射されて、間接光として外方に向かって放射される。この際、台座１０の設置面１１において反射された間接光の輝度は、シェード４０から放射される透過光の輝度と比較して低くなる。特に、照明器具１では、台座１０が多孔質構造を有する大谷石により形成されていることによって、シェード４０を透過した透過光は、設置面１１で乱反射されて、拡散光（間接光）となって外方に向かって照射される。これにより、透過光と間接光との輝度差が大きくなり、照明装置１から放射される光にグラデーションを持たせることができる。さらに、照明器具１では、設置面１１が凹凸面となっていることによって、設置面１１で乱反射された間接光において輝度の濃淡を付与することができ、台座１０で乱反射された間接光が柔らかい光となる。
このように、照明器具１では、互いに異なる輝度となる透過光及び間接光が放射されることで、放射される光にグラデーションを付与することができる。特に、透過光及び間接光のそれぞれにおいても輝度の濃淡を付与することができ、透過光及び間接光のそれぞれを柔らかい光とすることができる。
【００２４】
以上のように、照明器具１では、ランプソケット２０が取り付けられる台座１０が凝灰岩により形成されている。これにより、互いに異なる輝度となる透過光（シェード４０を透過した透過光）及び間接光（台座１０で乱反射された間接光）を放射することができ、放射される光に濃淡を付与することができる。よって、照明器具１によれば、光による演出効果を向上することが可能となる。
【００２５】
特に、照明器具１は、台座１０が大谷石により形成されている。ここで、大谷石は、凝灰岩の中でも表面及び内部に存在する微細孔の割合が特に大きくなっている。これによって、透過光（シェード４０を透過した透過光）の輝度と間接光（台座１０で乱反射された間接光）の輝度の差を大きくすることができ、光による演出効果をさらに向上することが可能となる。
また、大谷石は、多量のマイナスイオンを放出する天然ゼオライトを含んでいる。これによって、照明器具１では、多量のマイナスイオンが放出されることで、周囲の人間にアルファ波を発生させることができ、周囲の人間をリラックスさせることが可能となる。
さらに、天然ゼオライトは、多孔質構造を持ち、アンモニア等の悪臭の基となるガスを微細孔内に吸着することによる脱臭作用を有している。また、天然ゼオライトは、イオン交換することで悪臭の基となるガスを他の物質に変化させることによる脱臭作用を有している。したがって、照明器具１では、脱臭効果を奏することが可能となる。
【００２６】
また、照明器具１では、ランプソケット２０が設置面１１に設けられた凹部１２内に取り付けられている。これによって、多孔質構造を有する台座１０の設置面１１で乱反射される光の量を増加させることができ、光による演出効果をさらに向上することが可能となる。
また、照明器具１では、設置面１１が凹凸面となっている。これによって、台座１０で乱反射される間接光において輝度に濃淡を付与することができ、台座１０で乱反射される光が柔らかい光となり、光による演出効果をさらに向上することが可能となる。
【００２７】
また、照明器具１では、シェード４０は、筒状部４２がシェード取付け部２２の外周面に嵌合することによって、ランプソケット２０に対して着脱自在に取り付けられる。これによって、ランプソケット２０に対するシェード４０の着脱を容易に行うことが可能となる。
さらに、照明器具１は、シェード４０が和紙により形成されている。これによって、柔らかい透過光（シェード４０を透過した透過光）を得ることが可能となる。
【００２８】
（変形例）
次に照明器具１の変形例について、図面を参照しながら説明する。
なお、以下の変形例では、上記実施形態に係る照明器具１と同一の構成については、同一の符号を付して説明を省略する。
図７は、変形例に係る台座の斜視図である。図８は、変形例に係る取付け部材の断面図である。図９は、変形例に係るシェードの斜視図である。
【００２９】
上記実施形態では、台座１０は、略直方体状に形成され、その一部（角部）が斜めに切断された形状を有している。そして、台座１０では、斜めに切断された切断面が、ランプソケット２０が設置される設置面（所定面）１１となっている。しかしながら、設置面１１は、曲面状に形成しても構わない。
具体的には、照明器具１において、台座１０に替えて、図７に示す台座５０を用いても構わない。台座５０は、球体又は楕円体の一部を切断した形状を有している（切断面が台座１０の底面となっている）。台座５０は、略平面状の底面（図示せず）と、上方に向かって凸となる曲面（球面又は二次曲面）５１と、を有している。そして、台座５０では、曲面５１が設置面１１となっている。曲面５１（設置面１１）は、凹凸面となっており、凹部１２及び挿通孔１３を有している。なお、図７では、曲面５１（設置面１１）は、凹凸の形状の表示が省略されており、平坦状に表されている。
【００３０】
また、上記実施形態では、シェード４０は、筒状部４２がランプソケット２０のシェード取付け部２２の外周面に嵌合することによって、ランプソケット２０に対して着脱自在に取り付けられる。しかしながら、図８に示すように、シェード４０を取り付けるための取付け部材６０を、ランプソケット２０とは別個に設けても構わない。
具体的には、取付け部材６０は、略円筒状に形成されている。取付け部材６０の内径は、ランプソケット２０の外径と比較して大きく（本変形例では、略同一に）形成されている。取付け部材６０は、その内側にランプソケット２０が配設された状態で、ランプソケット２０又は台座１０の設置面１１に固定されている。そして、シェード４０は、筒状部４２が取付け部材６０の外周面に嵌合することによって、ランプソケット２０に対して着脱自在に取り付けられる。
【００３１】
さらに、上記実施形態では、シェード４０の被覆部４１は、孔のない略球形状に形成されている。しかしながら、被覆部４１の形状は、円筒形状等、他の形状としても構わず、また、外壁面に貫通孔が設けられていても構わない。
具体的には、照明器具１において、シェード４０に替えて、図９に示すシェード７０を用いても構わない。シェード７０は、ランプ３０の周囲を覆う被覆部７１と、被覆部７１の下端部に設けられた筒状部４２と、を有している。被覆部７１は、略球形状（内部が中空の球形状）に形成されており、その外壁面には、複数の貫通孔が設けられている。本変形例では、被覆部７１は、線状に形成した和紙を編み合わせることによって、その外壁面において複数の孔を有する網目状に形成されている。これによって、シェード７０を透過した透過光及び台座１０で乱反射された間接光に加えて、ランプ３０からの直接光を得ることができ、光による演出効果をさらに向上することが可能となる。
【符号の説明】
【００３２】
１        照明器具
１０      台座
２０      ランプソケット
３０      ランプ
４０      シェード
１１      設置面
１２      凹部
１２ａ    周壁面
１２ｂ    底面
１３      挿通孔
１４      挿通溝
１５      緩衝材
２１      受金部
２２      シェード取付け部
２３      電源コード
４１      被覆部
４２      筒状部
５０      台座
５１      曲面
６０      取付け部材
７０      シェード
７１      被覆部
【図１】
0003178347.tif 000003
【図２】
0003178347.tif 000004
【図３】
0003178347.tif 000005
【図４】
0003178347.tif 000006
【図５】
0003178347.tif 000007
【図６】
0003178347.tif 000008
【図７】
0003178347.tif 000009
【図８】
0003178347.tif 000010
【図９】
0003178347.tif 000011